【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
ディスク・タンブラ式シリンダ錠と鍵の組合せであって、前記ディスク・タンブラ式シリンダ錠の前記組合せが、外側シリンダ（２）と、ディスク群（３Ａ）を有し前記外側シリンダ（２）内で回転される内側シリンダ（１）とを備え、前記ディスク群（３Ａ）が、中央開口部（３Ｃ）及び周辺窪み（３Ｂ）を備えるタンブラ・ディスク（３）と、間隔保持ディスク（４）とを含み、前記間隔保持ディスクが、前記タンブラ・ディスクを互いに分離し、また、中央開口部（３Ｃ）が、２つのレール（８Ａ、８Ｂ）を含む案内要素（８）を有する一様な穴を形成し、
前記内側シリンダ（１）が、前記案内要素（８）に関連する回転リミッタ・ディスク手段（１０）、及びロッキング・バー（５）をさらに有し、前記ロッキング・バー（５）が、前記錠がロック位置にあるときには、一部分は前記外側シリンダ（２）の前記溝（２Ａ）内に配置され、また、一部分は前記内側シリンダ（１）の間隙（２１）内に配置され、前記タンブラ・ディスク（３）が、前記鍵（１１）の前記組合せにより、前記周辺窪み（３Ｂ）が前記内側シリンダの前記間隙（２１）の場所に位置して一様な溝を形成する位置へと回転することができ、前記ロッキング・バー（５）が、前記鍵の回転により前記一様な溝に入り込むことができる、前記ディスク・タンブラ式シリンダ錠と鍵の組合せであって、前記リミッタ・ディスク手段（１０）が、フレーム片（１０Ｂ）及びリミッタ片（１０Ａ）で構成され、前記フレーム片（１０Ｂ）が、中央に開口部（５３）を有する環状ディスクであり、前記開口部（５３）が、前記ディスクの縁（５２）に向かって広がりながら、前記縁（５２）まで延在し、また、前記縁（５２）の側の、前記開口部（５３）のより広くなった部分に、リミッタ片（１０Ａ）が配置され、前記開口部（５３）の底面（５３Ａ）に、前記案内要素（８）の前記第１のレール（８Ａ）のための凹部（２１１）がさらに配置され、前記開口部（５３）の前記第一の側面（２１４Ｂ）が摺動面を形成し、前記リミッタ片（１０Ａ）が、前記鍵（１１）が前記錠のロック位置から回転されるときに、前記摺動面に沿って摺動することができ、
前記リミッタ片（１０Ａ）が、第１の突出部（２１２）、第２の突出部（２６）、及び第３の突出部（２９）を含み、前記第３の突出部（２９）が、前記フレーム片の前記開口部（５３）の前記底面（５３Ａ）に面し、前記第２の突出部（２６）が、前記第３の突出部（２９）とは逆方向にあり、前記第１の突出部（２１２）が、前記第３の突出部（２９）及び前記第２の突出部（２６）から横向きに離れており、前記第３の突出部と前記第１の突出部との間には、前記案内要素（８）の前記第２のレール（８Ｂ）のための凹部（２８）が存在し、前記第２の突出部（２６）の前記縁面（２７）が、前記内側シリンダの前記間隙（２１）の幅よりも広くなっており、また、前記第３の突出部（２９）の前記端部（２９Ｅ）の各サイド・エッジ（２９Ａ、２９Ｂ、２９Ｄ）が斜めになっており、
前記内側シリンダ（１）の前記内側表面（６２）の、前記回転リミッタ・ディスク手段（１０）が位置する部位には、前記リミッタ片（１０Ａ）の前記第２の突出部（２６）ための凹部（２５）が存在し、また、前記鍵（１１）が、前記第３の突出部の前記端部（２９Ｅ）のための少なくとも１つの傾斜エッジ窪み（１２）を有し、前記傾斜エッジ（１２Ａ）の傾きが、前記第３の突出部（２９）の前記傾斜サイド・エッジ（２９Ａ、２９Ｂ、２９Ｄ）の傾きに対応し、前記リミッタ片（１０Ａ）及び前記フレーム片（１０Ｂ）が、前記鍵（１１）が回転されるときに前記内側シリンダ（１）に対して回転可能であることを特徴とする、ディスク・タンブラ式シリンダ錠と鍵の組合せ。
【請求項２】
前記タンブラ・ディスク（３）が、周辺突出部（３Ｄ）を備え、前記内側シリンダ（１）が、所与の扇形上に切口（２２）を有し、前記区間に前記周辺突出部（３Ｄ）が配置されて、前記内側シリンダ（１）に対する前記タンブラ・ディスク（３）の回転を制限し、
前記フレーム片（１０Ｂ）の前記縁（５２）によって形成される扇形が、前記フレーム片が前記鍵（１１）の位置に関係なく前記内側シリンダ内に留まるように、前記切口（２２）によって形成される扇形よりも大きいことを特徴とする、請求項１に記載のディスク・タンブラ式シリンダ錠と鍵の組合せ。
【請求項３】
前記開口部（５３）の前記第１の側面（２１４Ｂ）の側に、前記フレーム片の前記第１の突出部（２１４）が存在し、前記開口部（５３）の他方の側面（２１３Ｂ）の側に、前記フレーム片の前記第２の突出部（２１３）が存在し、前記第１の突出部（２１４）の端部において、前記フレーム片の前記縁（５２）の側にロッキング・バー用凹部（２１４Ａ）が存在することを特徴とする、請求項１又は２に記載のディスク・タンブラ式シリンダ錠と鍵の組合せ。
【請求項４】
前記リミッタ片（１０Ａ）の前記第３の突出部（２９）において、前記縁の側の前記側面（４１）が、前記フレーム片（１０Ｂ）の前記開口部（５３）の前記第１の側面（２１４Ｂ）によって形成された前記摺動面に対接する対向摺動面であり、また、前記縁の側の前記リミッタ片（１０Ａ）の前記第１の突出部（２１２）の前記側面（２１２Ｃ）が、前記内側シリンダ（１）の前記内側表面（６２）に対接する湾曲支持面であることを特徴とする、請求項３に記載のディスク・タンブラ式シリンダ錠と鍵の組合せ。
【請求項５】
前記第２の突出部（２６）の前記縁の前記端部（２７Ａ）が、湾曲していることを特徴とする、請求項４に記載のディスク・タンブラ式シリンダ錠と鍵の組合せ。
【請求項６】
前記フレーム片及び前記リミッタ片のディスク（１０Ａ、１０Ｂ）の厚さが、個々のタンブラ・ディスク（３）の厚さよりも大きいことを特徴とする、請求項５に記載のディスク・タンブラ式シリンダ錠と鍵の組合せ。
【請求項７】
前記鍵（１１）の前記窪みが、前記鍵の前記軸に対して、横断方向よりも前記鍵の前記軸（１１Ａ）の方向に長いことを特徴とする、請求項６に記載のディスク・タンブラ式シリンダ錠と鍵の組合せ。
【請求項８】
前記第１の突出部の、前記フレーム片の前記開口部（５３）の側に位置する前記表面（４２）が、前記開口部（５３Ａ）の前記底面（５２Ａ）に面する鍵穴面を含むことを特徴とする、請求項７に記載のディスク・タンブラ式シリンダ錠と鍵の組合せ。
【請求項９】
前記リミッタ片の前記第１の突出部（２１２）の、前記フレーム片の前記開口部（５３）の側に位置する表面が、傾斜面（２１２Ａ）をさらに含み、また、前記フレーム片の前記第２の突出部（２１３）の端部が、前記傾斜面に面するように対応傾斜面（２１３Ａ）を含むことを特徴とする、請求項８に記載のディスク・タンブラ式シリンダ錠と鍵の組合せ。
【請求項１０】
前記リミッタ片（１０Ａ）の側面のエッジに丸みが付けられることを特徴とする、請求項９に記載のディスク・タンブラ式シリンダ錠と鍵の組合せ。
【請求項１１】
前記フレーム片（１０Ｂ）及び前記リミッタ片（１０Ａ）の前記凹部（２１１、２８）の輪郭が、前記案内要素の前記レール（８Ａ、８Ｂ）の輪郭に対応することを特徴とする、請求項１０に記載のディスク・タンブラ式シリンダ錠と鍵の組合せ。
【請求項１２】
前記鍵（１１）の前記窪みの前記底面（１２Ｃ）、及び前記第３の突出部（２９）の前記端部の前記表面（２９Ｃ）が、平面であることを特徴とする、請求項１から１１までのいずれか一項に記載のディスク・タンブラ式シリンダ錠と鍵の組合せ。
【請求項１３】
前記鍵（１１）の前記窪みの深さが、前記鍵の前記窪み（１２）への前記第３の突出部（２９）の到達距離よりも大きいことを特徴とする、請求項１２に記載のディスク・タンブラ式シリンダ錠と鍵の組合せ。
【請求項１４】
前記鍵（１１）の前記窪みの前記エッジ（１２Ａ）の傾斜度、及び前記第３の突出部（２９）の前記傾斜サイド・エッジ（２９Ａ、２９Ｂ、２９）の傾斜度が、４５度又は約４５度であることを特徴とする、請求項１３に記載のディスク・タンブラ式シリンダ錠と鍵の組合せ。
【手続補正２】
【補正対象書類名】明細書
【補正対象項目名】００１１
【補正方法】変更
【補正の内容】
【００１１】
フレーム片の開口部５３の底面５３Ａには、さらに、案内要素の第１のレール８Ａのための凹部２１１が存在し、また、リミッタ片の第３の突出部と第１の突出部との間には、案内要素の第２のレール８Ｂのための凹部２８が存在する。
【手続補正３】
【補正対象書類名】明細書
【補正対象項目名】００１６
【補正方法】変更
【補正の内容】
【００１６】
内側シリンダは、ディスク群３Ａを有し、このディスク群３Ａは、中央開口部３Ｃ及び周辺窪み３Ｂを備えたタンブラ・ディスク３と、間隔保持ディスク４とを含む。間隔保持ディスクは、タンブラ・ディスクを互いに分離させる。タンブラ・ディスクの中央開口部３Ｃ、及び間隔保持ディスクは、一様な穴、即ち、案内要素８を有する鍵穴の部分を形成する。案内要素は、２つのレール８Ａ、８Ｂを備える。この実施例では、各レールは、内側シリンダの底面の側に位置する端部で互いに連結されている。内側シリンダ１はさらに、案内要素８に関連する回転リミッタ・ディスク手段１０、及びロッキング・バー５を有し、ロッキング・バー５は、錠がロック位置にあるときに、一部分は外側シリンダ２の溝２Ａ内に配置され、一部分は内側シリンダ１の間隙２１内に配置される。外側シリンダの溝は、図２及び図３に示されている。タンブラ・ディスク３は、本組合せの鍵１１により、周辺窪み３Ｂが内側シリンダの間隙２１の部位に位置して一様な溝を形成する位置へと回転されることができ、ロッキング・バー５は、鍵の回転により、この一様な溝に入り込むことができる。
【手続補正４】
【補正対象書類名】明細書
【補正対象項目名】００２６
【補正方法】変更
【補正の内容】
【００２６】
フレーム片１０Ｂ及びリミッタ片１０Ａの各凹部２１１、２８の輪郭は、案内要素のレール８Ａ、８Ｂの輪郭に対応する。図２及び図３からは、レールがどのようにしてフレーム片及びリミッタ片の凹部２１１、２８内に位置して、それらを支持するかが分かる。レールの輪郭は異なっていてもよい。図１の実例から観察され得るように、フレーム片及びリミッタ片のディスク１０Ｂ、１０Ａの厚さは、個々のタンブラ・ディスク３の厚さよりも大きくされ得る。したがって、回転リミッタ手段の機能において、さらなる堅実性、耐久性、及び機能的信頼性を得ることが可能である。